【事件の表示】
　平成　６年特許願第２２０６８８号「多重放送受信装置」拒絶査定に対する審判事件［平成　８年　４月　２日出願公開、特開平　８−　８８６１３］について、次のとおり審決する。
【結　論】
　本件審判の請求は、成り立たない。
【理　由】
１．手続の経緯・本願発明
　本願は、平成６年９月１４日の出願であって、その請求項１に係る発明は、手続補正書により補正された明細書及び図面の記載からみて、その特許請求の範囲の請求項１に記載された次の事項により特定されるものである。
「放送電波を受信し放送番組を再生する受信再生手段と、放送電波中の付加情報用電波が搬送するデータ信号として放送番組と同期的に送られる番組内容関連データを取り出す取出し手段と、所定の視聴者データと所定の放送番組を示す放送番組データとを予め記録させてあるカードを挿入するための挿入部と、挿入部内のカードに対し必要なデータを読み書きする読取手段及びプリント手段と、視聴者が任意のデータを入力できる外部入力手段と、電話回線を介して必要なデータを送信する通信手段と、上記各手段を制御する制御手段と、必要なデータを記憶する記憶手段と、を備える多重放送受信装置であって、
　制御手段が、読取手段に放送番組データを読み取らせ、この放送番組データに基づいて上記所定の放送番組の自動選局、音量調整など受信再生手段の機能制御を行った後に、上記放送番組の呼びかけに応じて視聴者が入力した外部入力手段からの外部入力データと取出し手段からの番組内容関連データと読取手段で読み取られたカード上の視聴者データとを通信手段を介して送信すると共に、外部入力データと番組内容関連データとを挿入部中のカードに文字、数字、記号によって人が読み取ることができるようにプリントすることを特徴とする多重放送受信装置。」
 ２．引用例記載の発明
   これに対して、原査定の拒絶理由に引用された特開平５−３４４０８４号公報（以下、引用例という）には、以下の事項が記載されている。
（１−１）「放送局側から聴者又は視聴者へ送信する局送信用データを既存の多重方式の放送信号に重畳させて送信する送信装置と、受信した上記放送信号から上記局送信用データを分離し、該局送信用データに対応した同期動作を行うと共に所定の約束に基づいて時間計測処理を行い、聴者又は視聴者からデータが入力されると、少なくとも該データ入力時までの計測時間と入力された該データとの両方のデータ又はいずれか一方のデータを、放送局側又は特定の返送相手側との間でのみ規定されている特定の暗号化手法に基づいて暗号化した返送データを作成して、既存の通信網を介して上記放送局側又は特定の返送相手側へ返送、或いは上記放送局側若しくは特定の返送相手側へ返送するための返送用媒体に記録する、聴者又は視聴者側に設置される受信装置とを有する番組参加型放送システム。」（第２頁左欄第２行乃至第１７行、特許請求の範囲の請求項１の記載から抽出）
（１−２）「本発明は、テレビジョンやラジオ放送局側から離隔した多数の聴者又は視聴者側へ送信した放送番組に対して、これらの多数の聴者又は視聴者が同時に放送番組に参加し、個々の聴者又は視聴者が自己の意見や回答等の情報を放送局側へ簡易に返送することができるようにした番組参加型放送システムと、この番組参加型放送システムに適用される送信装置と受信装置に関する。」（第４頁右欄第３１行乃至第３８行から抽出）
 (１−３）「以下、本発明の一実施例としてテレビジョン放送を適用する場合を図面と共に説明する。まず、図１に基づいて本発明に係わる番組参加型放送システムの構成を説明すると、放送局２が既存のテレビジョン通信網を介して各家庭等の聴者又は視聴者側に放送すると、多数の聴者又は視聴者の夫々に備えられている本発明の受信装置４ａ〜４ｎ（ここで、添字ｎは不特定の数を示すものとする）が、受信電波中の特定周波数帯域に含まれる変調信号、又は、特殊な符号化処理等を施されて映像信号に重畳された変調信号を復調することによって、放送局２側で伝送した特殊なデータ（以下、局送信用データという）を受信することができるようになっている。ここで、本実施例にあっては、上記特定周波数帯域とは、テレビジョン音声多重放送技術によって伝送される副チャネル信号の周波数帯域であり、放送局２が聴者又は視聴者参加に必要な局送信用データを副チャネル信号として伝送して、これを受信装置４ａ〜４ｎが復調する。又、符号化処理等を施された局送信用データは、所謂文字多重放送において水平走査期間中の映像に影響を与えないように伝送される文字情報のデータであり、これを受信装置４ａ〜４ｎが復調する。尚、いずれの多重通信方式を適用するかは、用途や仕様等によって決定される。
　又、上記の多重放送によって伝送されてくる局送信用データは、受信装置４ａ〜４ｎを所有している聴者又は視聴者と放送中の番組とが時間的な同期を取ると共に、受信装置４ａ〜４ｎを制御するため等のデータである。」（第６頁右欄第１１行乃至第３８行から抽出）
（１−４）「上記実施例では、テレビジョン放送を適用した場合を説明したが、ステレオ放送機能を有するラジオ放送においても本発明の番組参加型放送システムの原理及び、送信装置と受信装置の原理を適用してもよい。この場合、装置本体３４内のチューナーをラジオ信号を受信するチューナーの変更等を行うだけで実現される。」（第１３頁左欄第３９行乃至第４５行から抽出）
（２−１）「この実施例では、局送信用データは、番組とその番組内で議論等されている事項を特定するための内容データＱｎと、受信装置内に設けられた後述するタイマー回路等の時間計測手段を制御する時計制御データＱｔから成っている。更に詳述すると、…内容データＱｎは、…受信装置４ａ〜４ｎに対して特定の動作を指示するための制御コードデータＭ１と、放送局を示すための放送局コードデータＭ２と、放送される番組を特定するための番組コードデータＭ３と、該番組内で問題等となっている事項を特定するための項目コードデータＭ４と、チェックサムデータデータＭ５で構成され、夫々１バイトずつの合計５バイトのデータから成っている。そして、コードデータＭ１〜Ｍ４はこれらの合計値が常にチェックサムデータＭ５の値と等しくなるように関係付けられることで、送信エラー等の発見を容易に行うことができるようになっている。」（第７頁右欄第２７行乃至第４３行から抽出）
（２−２）「次に、装置本体３４に内蔵されている制御回路の構成を図６に基づいて説明する。テレビジョンチューナー７２は、受信ケーブル３８を介して受信アンテナに接続され、放送局２側から送信されてきたテレビジョン電波から音声中間周波信号を分離して、主チャネル信号と副チャネル信号を出力する。音声多重チャネル分離回路７４は、音声信号を主チャネル信号と副チャネル信号に分離し、副チャネル信号を出力する。したがって、放送局２側の送信装置８に内蔵されている変調回路２８でＦＳＫ規格に基づいて周波数変調された局送信用データを出力する。復調回路７６は、この周波数変調された局送信用データを復調して元のバイナリーコードの局送信用データを発生し、マイクロプロセッサ７８を有するコンピュータシステムのバスラインに転送する。一方、主チャネルの音声信号出力には、上記音声ボタン５４を介して再生回路とスピーカが接続されており、主チャネルの内容を確認することができる。」（第９頁左欄第５行乃至第２１行から抽出）
（３−１）「返送媒体９６に予め記録されている固有の登録データを記録前に読取る読取り装置を受信装置本体３４内に設けておき、その読み取った登録データを含めて暗号化して返送媒体９６に記録する等の処理を行うようにしてもよい。このように暗号化された返送データのデータ量を増やすことにより、放送局２側と各聴者又は視聴者間で授受される情報量を増加させることができ、更に聴者又は視聴者側での情報データの改ざん等の不正を完全に防止することができので、効果的である。」（第１３頁左欄第２９行乃至第３８行から抽出）
（３−２）「装置本体３４の側端には、郵便用葉書９６を入力するためのスリット状の開口部６６が設けられ、聴者又は視聴者が開口部６６に沿って郵便用葉書９６を挿入すると、装置本体３４内に設けられた搬送機構（図示せず）が所定の位置まで搬入し、更に、装置本体３４内に設けられた印字プリンタ（図示せず）が返送情報を印字した後、再び該搬送機構が郵便用葉書９６を開口部６６から搬出するようになっている。」（第８頁右欄第３８行乃至第４５行から抽出）
（４−１）「聴者又は視聴者側に設置される受信装置の構成を…外観構造を述べると、一般家庭に普及している電話器程の大きさであり、受信装置本体３４には、商用交流電源から電源を得るための電源コード３６と、家庭用テレビジョン受信アンテナから受信信号を入力するための受信アンテナケーブル３８と、ＩＳＤＮ等の通信網に接続される通信ケーブル４０が接続され、更に、この実施例では、４台までの操作用キーボードを接続するための接続端子４２ａ〜４２ｄが設けられている。図中には、１台の操作用キーボード４４が接続端子４２ａに接続された状態を示している。」（第８頁左欄第３９行乃至第５０行から抽出）
（４−２）「バスラインには、マイクロプロセッサ７８の指令に従って時間計測を行うタイマー回路８０と、各種データ処理の際に使用されるランダムアクセスメモリ（ＲＡＭ）８２と、システムプログラムを格納する読出し専用メモリ（ＲＯＭ）８４と、表示パネル４６の表示制御を行うための表示用インタフェース８６と、４個の操作用キーボード（図５に示す操作用キーボード４４の他に３個）を接続するためのキーボード用インタフェース８８と、前記郵便用葉書９６に記録を行うプリンタ９０を駆動制御するためのプリンタ用インタフェース９２と、聴者又は視聴者返送データを通信網を介して伝送するための通信網接続装置９４が接続されている。」（第９頁左欄第２２行乃至第３３行から抽出）
（４−３）「夫々の受信装置４ａ〜４ｎには、聴者又は視聴者が放送局２側へ返送しようとする情報（以下、返送データという）を、ＩＳＤＮ、ＶＡＮ、ファクシミリ通信回線等の既存の通信網を介して放送局２や返送データを処理する等の特定の返送会社等の返送相手側に設置されているコンピュータシステムに返送することができるように、音響カプラを有するモデムやデジタル通信機能を有する通信用インタフェース等（以下、これらのモデムや通信用インタフェース等を通信網接続装置と言う）が内蔵されている。尚、返送先である放送局２や特定の返送相手は複数の場合もある。」（第６頁右欄第３９行乃至第４９行から抽出）
（５−１）「番組中に、放送局２側の司会者等が、外部入力装置２２からこれらの内容データＱｎと時計制御データＱｔの所定の項目に関するデータを入力して送信を指示すると、その指示された項目に対応する所定のコードデータが、図３及び図４に示すようにマイクロプロセッサ１０によって作成されることとなる。尚、外部入力装置２２から入力された各項目に対応するコードデータを予めＲＯＭ１４に内蔵しておいて参照するようにしてもよい。そして、このようにコード化された局送信用データは、所定の順番で時系列的に変調回路２８で周波数変調されて音声多重チャネルを通じて送信される。」（第８頁左欄第１４行乃至第２５行から抽出）
（５−２）「聴者又は視聴者が通常のテレビジョンセット６ａ〜６ｎの番組映像を見て、自己の意見や回答等を操作用キーボード４４を介して入力すると、マイクロプロセッサ７８は、タイマー回路８０がタイマー動作開始時点から操作用キーボード４４による入力時点まで計測した時間データＴを読取ると共に、操作用キーボード４４から転送されてきたキーコードデータＫを作成し、更に、次式（１）（２）に基づいて返送データＸT とＸK を形成した後、これらを通信網接続装置９４を介して通信網へ伝送させたり、プリンタ用インタフェース９２を介してプリンタ９０による郵便用葉書９６への記録を行わせる。」（第９頁右欄第２０行乃至第３１行から抽出）
（５−３）「これらの返送データＸTとＸK が上述したように通信網を介して放送局２側へ返送されたり、数値化されて郵便用葉書９６に記録されたりする。尚、いずれの処理を行うかは、放送局２側の番組内容に応じて内容データＱｎによってマイクロプロセッサ７８に指示されたり、聴者又は視聴者が操作用キーボード４４から指定することができるようになっている。」（第９頁右欄第４３行乃至第４９行から抽出）
（６−１）「郵便用葉書９６によって別途返送されてくる場合は、記録された情報を光学式読取り装置等で処理可能な返送データに変換し、その返送データについて上記式（３）（４）の演算処理を行うことにより同様の処理を行う。」（第１０頁左欄第２７行乃至第３１行から抽出）
（６−２）「上記返送データを、郵便手段を介して返送する郵便用葉書等やＦＡＸ通信によって返送するための原稿等の返送媒体に記録する印字装置や、予め磁気記録層が塗布形成されている返送媒体に磁気記録する磁気記録装置が内蔵されており、これらの印字装置や磁気記録装置が返送データを即座に記録することで、聴者又は視聴者は単に投函やＦＡＸ通信すれば処理が済むようになっている。尚、この返送データは、放送局２と受信装置４ａ〜４ｎの間で決められた特殊なコードに暗号化されて送信あるいは返送用媒体に記録されるようになっている。そして、この暗号化の手法は受信装置４ａ〜４ｎと放送局２や特定の返送相手側でのみ予め決められているので、放送局２側等では、返送されて返送データを逆に解読することによって、聴者又は視聴者の意思を理解することができるようになっている。」（第６頁右欄第５０行乃至第７頁左欄第１４行から抽出）
  上記（１−１）乃至（１−４）の事項を参照すると、引用例には、テレビジョン放送またはステレオ放送機能を有するラジオ放送の放送番組を再生する多重通信方式の受信装置４ａ〜４ｎの再生回路が記載されている。
　上記（２−１）乃至（２−２）の事項を参照すると、多重通信方式の受信装置４ａ〜４ｎの再生回路と、放送電波中の副チャネル信号の周波数帯域が搬送するデータ信号として放送番組と同期的に送られる局送信用データ（例えば、放送局コード、番組コード、番組内で問題となっている事項を特定するための項目コードを含む）を取り出す、音声多重チャンネル分離回路７４、変調回路２８、復調回路７６を備えている。
　上記（３−１）及び（３−２）の事項を参照すると、この装置は、固有の登録データが予め記録されている返送媒体９６（郵便用葉書９６）を挿入できる、スリット状の開口部６６と、返送媒体９６の登録データを読み取り、データを記録する読取り装置と、伝送媒体９６に、印刷するプリンタ９０を備えている。
　上記（４−１）乃至（４−３）の事項を参照すると、聴者又は視聴者がデータを入力できる操作用キーボード４４と、放送局や特定の返送会社等の返送相手に返送するためのＩＳＤＮ，ＶＡＮ，ファクシミリ通信網等の通信網接続装置９４と、各手段を制御するマイクロプロセッサ７８と、必要なデータを記憶するランダムアクセスメモリ（ＲＡＭ）８２と、読み出し専用メモリ（ＲＯＭ）８４を備えている。
  更に、上記（５−１）乃至（５−３）の事項を参照すると、番組中の放送局２側の司会者等の指示に応じて、聴者又は視聴者が入力した操作用キーボード４４からの入力データと、音声多重チャンネル分離回路７４、変調回路２８、復調回路７６からの局送信用データを暗号化して、通信網接続装置９４を介して通信網へ伝送させたり、プリンタ９０により郵便用葉書９６（返送媒体９６）への記録を行うことが記載されている。
  また、上記（３−２）、（５−３）、（６−１）及び（６−２）を参照すると、返送媒体への情報の記録は、印字プリンタにより返送情報が印字されたり、返送データが数値化されて郵便用葉書９６に記録されたり、記録された情報を光学式読取り装置等で処理可能な返送データに変換したり、原稿等
 の返送媒体に印字したり、予め磁気記録層が塗布形成されている伝送媒体に磁気記録したりすることが記載されており、伝送媒体への記録方法としては種々の形式に対応可能であると認められ、上記の印字プリンタによる印字、あるいは、光学式読取り装置等で処理可能な返送データによる記録という記載からみて、引用例記載の発明には、スリット状の開口部６６に挿入された返送媒体９６に印字プリンタ等により文字、数字をプリントすることが含まれていると認められる。
  以上の各事項を勘案すると、上記引用例には、「テレビジョン放送またはステレオ放送機能を有するラジオ放送の放送番組を再生する多重通信方式の受信装置４ａ〜４ｎの再生回路と、放送電波中の副チャネル信号の周波数帯域が搬送するデータ信号として放送番組と同期的に送られる局送信用データ（例えば、放送局コード、番組コード、番組内で問題となっている事項を特定するための項目コードを含む）を取り出す、音声多重チャンネル分離回路７４、変調回路２８、復調回路７６と、固有の登録データが予め記録されている返送媒体９６を挿入できる、スリット状の開口部６６と、返送媒体９６の登録データを読み取り、データを記録する読取り装置と、伝送媒体９６に印刷するプリンタ９０と、聴者又は視聴者がデータを入力できる操作用キーボード４４と、放送局や特定の返送会社等の返送相手に返送するためのＩＳＤＮ，ＶＡＮ，ファクシミリ通信網等の通信網接続装置９４と、各手段を制御するマイクロプロセッサ７８と、必要なデータを記憶するランダムアクセスメモリ（ＲＡＭ）８２と、読み出し専用メモリ（ＲＯＭ）８４と、を備える多重通信方式の受信装置であって、番組中の放送局２側の司会者等の指示に応じて、聴者又は視聴者が入力した操作用キーボード４４からの入力データと、音声多重チャンネル分離回路７４、変調回路２８、復調回路７６からの局送信用データを暗号化して、通信網接続装置９４を介して通信網へ伝送させたり、スリット状の開口部６６内の返送媒体９６に印字プリンタ等により文字、数字等をプリントする多重通信方式の受信装置の発明（以下、引用例記載の発明という）が記載されていると認められる。
 ３．対比
　そこで、請求項１に係る発明と引用例記載の発明とを比較すると、
　引用例記載の発明の「テレビジョン放送またはステレオ放送機能を有するラジオ放送の放送番組を再生する多重通信方式の受信装置４ａ〜４ｎ」は、請求項１に係る発明の「多重放送受信装置」に相当すると認められ、
  引用例記載の発明の「受信装置４ａ〜４ｎの再生回路」、「放送電波中の副チャネル信号の周波数帯域が搬送するデータ信号として放送番組と同期的に送られる局送信用データ（例えば、放送局コード、番組コード、番組内で問題となっている事項を特定するための項目コードを含む）」、「局送信用データを取り出す、音声多重チャンネル分離回路７４、変調回路２８、復調回路７６」は、それぞれ、請求項１に係る発明の「受信再生手段」、「放送電波中の付加情報用電波が搬送するデータ信号として放送番組と同期的に送られる番組内容関連データ」、「番組内容関連データを取り出す取出し手段」に相当していると認められる。
　また、引用例記載の発明の「固有の登録データが予め記録されている返送媒体９６」は、「データが予め記録されているカード」である点では、請求項１に係る発明と一致していると認められる。
　また、引用例記載の発明の「データが予め記録されている返送媒体９６を挿入できる、スリット状の開口部６６」、「返送媒体９６の登録データを読み取り、データを記録する読取り装置」、「伝送媒体９６に印刷するプリンタ９０」、「聴者又は視聴者がデータを入力できる操作用キーボード４４」、「放送局や特定の返送会社等の返送相手に返送するためのＩＳＤＮ，ＶＡＮ，ファクシミリ通信網等の通信網接続装置９４」、「各手段を制御するマ
イクロプロセッサ７８」、「必要なデータを記憶するランダムアクセスメモリ（ＲＡＭ）８２と、読み出し専用メモリ（ＲＯＭ）８４」は、それぞれ、請求項１に係る発明の「データを予め記録させてあるカードを挿入するための挿入部」、「挿入部内のカードに対し必要なデータを読み書きする読取手段」、「プリント手段」、「視聴者が任意のデータを入力できる外部入力手段」、「電話回線を介して必要なデータを送信する通信手段」、「各手段を制御する制御手段」、「必要なデータを記憶する記憶手段」に相当していると認められる。
  更に、引用例記載の発明の「番組中の放送局２側の司会者等の指示に応じて、聴者又は視聴者が入力した操作用キーボード４４からの入力データと、音声多重チャンネル分離回路７４、変調回路２８、復調回路７６からの局送信用データを、通信網接続装置９４を介して通信網へ伝送する」ことは、引用例記載の発明では暗号化しているものの、請求項１記載に係る発明の「放送番組の呼びかけに応じて視聴者が入力した外部入力手段からの外部入力データと取出し手段からの番組内容関連データを通信手段を介して送信する」ことに相当するものと認められる。
  更に、引用例記載の発明の「スリット状の開口部６６内の返送媒体９６に印字プリンタ等により文字、数字等をプリントする」点は、請求項１に係る発明の「挿入部中のカードに文字、数字、記号によって人が読み取ることができるようにプリントする」点に相当していると認められる。
  したがって、両者は、以下の点で一致し、以下の各点で相違している。
 ＜一致点＞
　放送電波を受信し放送番組を再生する受信再生手段と、放送電波中の付加情報用電波が搬送するデータ信号として放送番組と同期的に送られる番組内容関連データを取り出す取出し手段と、データを予め記録させてあるカードを挿入するための挿入部と、挿入部内のカードに対し必要なデータを読み書きする読取手段及びプリント手段と、視聴者が任意のデータを入力できる外部入力手段と、電話回線を介して必要なデータを送信する通信手段と、上記各手段を制御する制御手段と、必要なデータを記憶する記憶手段と、を備える多重放送受信装置であって、
 制御手段が、上記放送番組の呼びかけに応じて視聴者が入力した外部入力手段からの外部入力データと取出し手段からの番組内容関連データとを通信手段を介して送信すると共に、外部入力データと番組内容関連データとを挿入部中のカードに文字、数字、記号によって人が読み取ることができるようにプリントすることを特徴とする多重放送受信装置である点。
 ＜相違点＞
 (１）カードに記録されているデータが、請求項１に係る発明では、所定の視聴者データと所定の放送番組を示す放送番組データであって、カード上の視聴者データが読取手段で読み取られて通信手段を介して送信されるのに対し、引用例記載の発明では固有の登録データである点。
（２）放送番組データは、請求項１に係る発明では、読取手段に読み取られ、この放送番組データに基づいて上記所定の放送番組の自動選局、音量調整など受信再生手段の機能制御を行うのに対し、引用例記載の発明では、その構成がない点。
（３）データの送信とカードへのプリントが、請求項１に係る発明では、送信と共にプリントするのに対し、引用例記載の発明では、送信したりプリントするものである点。
（４）引用例記載の発明では、送信するデータ、プリントするデータを暗号化しているのに対し、請求項１に係る発明では、暗号化していない点。
 ４．当審の判断
　上記（１）の点については、引用例の（１−３）の事項を参照すると、固有の登録データは、読取り装置に読み取られ、返送媒体への記録等を行い、返送データの伝送量を増やし、放送局２側と各聴者又は視聴者間で授受される情報量を増加するためのものであって、この登録データは、通常、視聴者側の視聴者データ、あるいは、送信先側のデータを意味すると認められ、この固有の登録データとして、視聴者データを予め登録し、読取手段で読み取られて通信手段を介して送信するように構成することは、当業者が容易に想到し得ることと認められる。
  上記（２）の点については、カードに記録されたデータで受信装置の放送番組の自動選局などの機能制御を行うことは周知技術（例えば、特開昭４８−９５７１２号公報参照）であり、引用例記載の発明は、カードにデータを記録し、そのデータを読み取って受信装置の制御をする構成を備えているので、引用例記載の発明のカードに記録するデータとして、放送番組データを付加して、機能制御を行うようにすることは、当業者が容易に想到することができたものと認められる。
　上記（３）の点については、引用例記載の発明は、送信の機能と共にプリントの機能をも有しており、送信と共にプリントするかどうかは、装置の使い方の問題であり、必要であれば、送信と共にプリントするように変更することは当業者が容易になし得ることと認められる。また、この送信と共にプリントすることが、「購入控え」や「証明票」としての役割を果たすためのものであるとしても、例えば、ＰＯＳ端末のように、決裁を電子的に行って、同時に、「購入控え」や「証明票」をレシートとして紙にプリントすることが周知であり、この点の変更は当業者が容易に想到することができたものと認められる。
　上記（４）の点については、秘密保持を必要としない場合に暗号化をせずに、通常の送信及びプリントを行うことは当業者が容易になし得ることと認められる。
５．むすび
　以上のとおりであるから、請求項１に係る発明は、引用例記載の発明及び周知技術に基いて当業者が容易に発明をすることができたものと認められ、特許法第２９条第２項の規定により特許を受けることができない。　　　
   よって、結論のとおり審決する。